(57)【要約】【課題】    電子カルテシステムでは、氏名等のテキスト情報のみで患者情報を検索して画面にカルテ情報を展開してしまうため、過去にどのような診察を受けているかということを直感的にわかるすべはなかった。【解決手段】本発明に関わる診療録作成支援装置は、患者の属性情報を格納した患者情報記憶手段と、患者の診療録情報を格納した診療録情報記憶手段と、利用者からのキーワード入力を受け付ける受付手段と、前記患者情報記憶手段を検索し、前記キーワードに合致する患者の属性情報を抽出する抽出手段と、前記診療録情報記憶手段に格納された患者の前記診療録情報に応じた厚みを算出する厚み算出手段と、前記抽出手段において抽出された属性情報と、前記厚み算出手段において算出された厚みに応じたイメージと、を表示する表示手段と、を備えることを特徴とする。【選択図】  図１
2006178903.tif 000002
【特許請求の範囲】
【請求項１】
患者の属性情報を格納した患者情報記憶手段と、
患者の診療録情報を格納した診療録情報記憶手段と、
利用者からのキーワード入力を受け付ける受付手段と、
前記患者情報記憶手段を検索し、前記キーワードに合致する患者の属性情報を抽出する抽出手段と、
前記診療録情報記憶手段に格納された患者の前記診療録情報に応じた厚みを算出する厚み算出手段と、
前記抽出手段において抽出された属性情報と、前記厚み算出手段において算出された厚みに応じたイメージと、を表示する表示手段と、
を備えることを特徴とする診療録作成支援装置。
【請求項２】
コンピュータを、
患者の属性情報を格納した患者情報記憶手段と、
患者の診療録情報を格納した診療録情報記憶手段と、
利用者からのキーワード入力を受け付ける受付手段と、
前記患者情報記憶手段を検索し、前記キーワードに合致する患者の属性情報を抽出する抽出手段と、
前記診療録情報記憶手段に格納された患者の診療録情報に応じた厚みを算出する厚み算出手段と、
前記抽出手段において抽出された属性情報と、前記厚み算出手段において算出された厚みに応じたイメージと、を表示する表示手段として動作させることを特徴とする診療録作成プログラム。
【請求項３】
コンピュータを、
患者の属性情報を格納した患者情報記憶手段と、
患者の診療録情報を格納した診療録情報記憶手段と、
利用者からのキーワード入力を受け付ける受付手段と、
前記患者情報記憶手段を検索し、前記キーワードに合致する患者の属性情報を抽出する抽出手段と、
前記診療録情報記憶手段に格納された患者の診療録情報に応じた厚みを算出する厚み算出手段と、
前記抽出手段において抽出された属性情報と、前記厚み算出手段において算出された厚みに応じたイメージと、を表示する表示手段として動作させることを特徴とする診療録作成プログラムを記録したコンピュータ読み取り可能な記録媒体。
【発明の詳細な説明】
【技術分野】
【０００１】
本発明は、電子カルテシステムにおける安全性の向上を目的とする利用者支援機能に関する。特に、利用者が、入力しようとする患者の選択ミスを防止することを目的とする。
【背景技術】
【０００２】
患者の診療情報（以下、カルテ若しくはカルテ情報という）を電子的に格納し、医師や看護士等（以下、利用者という）が端末を操作することで当該カルテ情報を参照したり更新したりする電子カルテシステムが一般的に利用されている。
【０００３】
このような電子カルテシステムでは、大量の患者情報の中から、特定の患者を選択してデータ入力を行うことから、患者選択画面を備え、例えば患者のカナ氏名を検索キーとして特定の患者を選択することが行われている（特許文献１）。
【特許文献１】特開２００１−３３７８５６号公報
【発明の開示】
【発明が解決しようとする課題】
【０００４】
電子カルテシステム導入以前の紙のカルテを用いた運用においては、利用者が患者のカルテの厚みから当該患者がいままでどの程度の診察を受けたかを直感的に把握することができていた。その為、別の患者のカルテを誤って手にしたとしても、その厚みから取り違いに気づくことがあった。
【０００５】
しかし、電子カルテシステムでは、氏名等のテキスト情報のみで患者情報を検索して画面にカルテ情報を展開してしまうため、過去にどのような診察を受けているかということを直感的にわかるすべはなかった。
【０００６】
また、過去の診療歴を検索することで詳細な診察歴を把握することは可能だが、あくまでも利用者が能動的にそのような操作を行うことが必要であった。
【課題を解決するための手段】
【０００７】
本発明に関わる診療録作成支援装置は、患者の属性情報を格納した患者情報記憶手段と、患者の診療録情報を格納した診療録情報記憶手段と、利用者からのキーワード入力を受け付ける受付手段と、前記患者情報記憶手段を検索し、前記キーワードに合致する患者の属性情報を抽出する抽出手段と、前記診療録情報記憶手段に格納された患者の前記診療録情報に応じた厚みを算出する厚み算出手段と、前記抽出手段において抽出された属性情報と、前記厚み算出手段において算出された厚みに応じたイメージと、を表示する表示手段と、を備えることを特徴とする。
【０００８】
本発明によれば、患者を選択する際に、各患者の過去の診療歴を表すカルテの厚みのイメージが表示されるため、利用者が直感的に対象とする患者を選択することができることとなる。更に、カルテ情報を展開した際に、過去の診療歴を表すカルテの厚みのイメージが表示されるため、これから診察しようとする患者の過去の診療歴を直感的に把握することが可能となる。
【０００９】
また、前記厚み算出手段は、診療行為ごとに定められた所定の重み付けを付与した厚みを算出することで、検査、入院、処方といった、診療行為ごとの重みを付与された厚みが表示されるため、単に診察回数ではなく、その診療内容の重要性を考慮した過去歴を把握することが可能となる。
【００１０】
また、前記厚み算出手段は、診療行為ごとに厚みを算出し、前記表示手段は、前記診療行為ごとに定められた所定の色分けを行ったイメージを表示することで、各診療行為ごとの割合を把握することが可能となる。
【００１１】
また、前記厚み算出手段は、診療科ごとに厚みを算出し、前記表示手段は、前記診療科ごとに定められた所定の色分けを行ったイメージを表示することで、各診療科ごとの割合を把握することが可能となる。
【００１２】
また、前記厚み算出手段は、診療行為ごとに厚みを算出し、前記表示手段は、前記診療行為ごとのイメージを表示することで、各診療行為ごとの厚みを把握することが可能となる。
【００１３】
また、前記厚み算出手段は、診療科ごとに厚みを算出し、前記表示手段は、前記診療科ごとのイメージを表示することで、各診療科ごとの厚みを把握することが可能となる。
【発明の効果】
【００１４】
上述のように本発明は、患者検索画面やカルテ編集画面に各患者の過去の診療歴を表すカルテの厚みのイメージを表示するように構成したため、利用者が直感的に患者の過去の診療歴を把握することが可能となる。
【発明を実施するための最良の形態】
【００１５】
本発明の実施の形態に係るシステム概要について図1を用いて説明する。図１は、医療機関内に備えられる診療録作成支援装置を模式的に示したシステム構成図である。医療機関内には、サーバ装置１２０と、クライアント端末１００とが、ＬＡＮ等のネットワーク１１０を介して接続されている。なお、図１においては、クライアント端末１００は一台しか記載されていない。通常は複数のクライアント端末１００がネットワークで接続されているものであるが、本実施の形態において、各クライアント端末１００のシステム構成は概ね同一であるため、説明の便宜のため一台のみの記載とするものである。
【００１６】
サーバ装置１２０は、ＯＳ１２１によって制御されており、このＯＳ１２１の上で診療録作成支援サーバシステム１３０が動作する。当該診療録作成支援サーバシステム１３０には、利用者からの検索条件を受け付ける受付プログラム１３１、受付プログラム１３１で受け付けた検索条件に合致する患者の属性情報を抽出する抽出プログラム１３２、患者の診療録情報に応じた厚みを算出する厚み算出プログラム１３３、検索結果やカルテ情報を画面に表示するための表示プログラム１３４、とが含まれる。これらのプログラムは、サーバ装置１２０の図示せぬ外部記憶装置に格納されており、各プログラム実行時に内部記憶装置に読み出される。また、当該診療録作成支援サーバシステム１３０には、患者の属性情報を格納する患者マスタ１４０、患者のカルテ情報を格納するカルテデータ１４１、患者のカルテの厚さに関する情報を格納する厚さ管理ファイル１４２、カルテの厚さを算出する際の重みに関する情報を格納する重みマスタ１４３、厚さを表す画像を格納する厚さ画像マスタ１４４、とが含まれ、必要に応じて、受付プログラム１３１、抽出プログラム１３２、厚み算出プログラム１３３、表示プログラム１３４、とから参照又は更新される。
【００１７】
また、サーバ装置１２０は、利用者に各種の情報を提示するための表示装置（図示せず）の制御を行う表示制御部１２２、利用者からの情報の入力制御を行う入力制御部１２３、クライアント端末１００との通信制御を行う通信制御部１２４と、を備える。
【００１８】
当該サーバ装置１２０とネットワーク１１０を介して接続されるクライアント端末１００は、ＯＳ１０３によって制御されており、このＯＳ１０３の上で診療録作成支援クライアントシステムが動作する。当該クライアント端末１００は、例えばパーソナルコンピュータである。また、診療録作成支援クライアントシステム１０１は主にブラウジングプログラム１０２であって、診療録作成支援サーバシステム１３０に対する入力と診療録作成支援サーバシステム１３０からの情報の出力を行うものである。
【００１９】
また、クライアント端末１００は、利用者に各種の情報を提示するための表示装置（図示せず）の制御を行う表示制御部１０４、利用者からの情報の入力制御を行う入力制御部１０５、サーバ装置１２０との通信制御を行う通信制御部１０６と、を備える。
【００２０】
次に、本発明の一実施の形態に係る処理概要について、図２を用いて説明する。
【００２１】
まず、利用者がクライアント端末１００の診療録作成支援クライアントシステム１０１から診療録作成支援サーバシステム１３０にログイン処理を行う（Ｓ２０１）。診療録作成支援サーバシステム１３０の受付プログラム１３１は、一般的な利用者認証手続による利用者認証を行った後、患者検索画面をクライアント端末１００に表示させる（Ｓ２０２）。
【００２２】
この患者検索画面について、患者検索画面３０１を用いて詳細に説明する。患者検索画面３０１は、ヘッダ部、ボディ部、とから構成されている。ヘッダ部には、画面の名称とともに、業務終了ボタンを備える。ボディ部には、患者を検索する際の検索キー入力領域、検索ボタン、検索結果を一覧表示する領域、とを備える。
【００２３】
この患者検索画面において、利用者が業務を終了する際は、ヘッダ部に備えられた業務終了ボタンを押下する。診療録作成支援サーバシステムは、業務終了ボタンの押下を受け付けた場合は、業務を終了する（Ｓ２０３）。それ以外の操作を受け付けた場合は、Ｓ２０４の患者検索処理を実行する。
【００２４】
この患者検索処理について、図４のフローを用いて詳細に説明する。まず、利用者が患者検索画面３０１の検索キー入力領域に検索キーを入力し、検索ボタンを押下すると、抽出プログラム１３２は、当該検索キーワードを受け付ける（Ｓ４０１）。この場合、検索は患者名のカナ検索を行うものとし、“ヤマダ“というキーワードを受け付けたものとする。
【００２５】
次に、当該キーワードを用いて、患者マスタ１４０を検索し、合致するレコードを抽出する（Ｓ４０２）。
【００２６】
この患者マスタ１４０について、図５を用いて詳細に説明する。患者マスタ５０１は、患者の属性情報を格納するマスタであって、ＩＤ、氏名、カナ、性別、年齢、とを記録する。Ｓ４０２の検索では、利用者から受け付けたカナ表記のキーワードを用いて、患者マスタ５０１のカナ項目を検索する。そして、合致したレコードを抽出する。
【００２７】
次に、Ｓ４０２で抽出されたレコードのＩＤを用いて、厚さ管理ファイル１４２を検索し、合致するレコードを抽出する（Ｓ４０３）。
【００２８】
この厚さ管理ファイル１４２について、図６の厚さ管理ファイル６０１を用いて詳細に説明する。厚さ管理ファイル６０１は、患者のカルテの厚さを診療科ごとに格納するファイルであって、ＩＤ、科、厚さ、とを記録する。Ｓ４０３の検索では、Ｓ４０２で抽出されたレコードのＩＤを用いて厚さ管理ファイル６０１のＩＤを検索する。そして、合致したレコードを抽出する。
【００２９】
次に、Ｓ４０３で抽出されたレコードの厚さを用いて、厚さ画像マスタ１４４を検索し、合致するレコードを抽出する（Ｓ４０４）。
【００３０】
この厚さ画像マスタ１４４について、図７の厚さ画像ファイル７０１を用いて詳細に説明する。厚さ画像ファイル７０１は、所定の厚さの範囲ごとのイメージを格納するファイルであって、厚さ範囲と、イメージを格納する。この場合、説明の便宜上、レコード内にイメージを格納するように記載しているが、実際は例えば画像ファイルに対するポインタ情報を格納しておき、画像自体は別の箇所に保存しておく等、実現方法は問わない。Ｓ４０４の検索では、Ｓ４０３で抽出されたレコードの厚さを用いて厚さ画像ファイルの厚さ範囲を検索する。そして、合致したレコードを抽出する。
【００３１】
各ファイルの検索が完了すると、表示プログラム１３４は、患者検索画面の検索結果一覧表示領域を編集して診療録作成支援クライアントシステム１０１に表示させる（Ｓ４０５）。
【００３２】
この検索結果を一覧表示した患者検索画面について、図３の患者検索画面３０２を用いて詳細に説明する。患者検索画面３０２は、患者検索画面３０１の検索結果一覧表示領域に検索結果を展開したものであって、当該検索結果一覧表示領域は、氏名、性別、年齢、厚み、とから構成される。このうち、氏名、性別、年齢、については、Ｓ４０２の検索において抽出された患者マスタ５０１から転記されたものである。また、厚みについては、以下のように展開される。即ち、Ｓ４０２の検索において抽出されたレコードのＩＤを用いて厚さ管理ファイル６０１を検索する。例えば、患者マスタ５０１にＩＤ＝０００１として属性情報が格納されている山田太郎の表示情報を展開する際は、このＩＤ＝０００１を用いて厚さ管理ファイルのＩＤを検索する。その結果、厚さ管理ファイル６０１の２レコードが抽出されるものとする。そして、それぞれの厚さを合計することで、１０＋２０＝３０となり、この３０という数値を用いて、厚さ画像ファイル７０１の厚さ範囲を検索する。その結果、厚さ範囲２１〜３０のレコードが抽出され、当該レコードで示されている画像を患者検索画面３０２の検索結果一覧表示領域の厚みに転記する。
【００３３】
これらの処理をＳ４０２の検索によって抽出された各患者分繰り返すことで、患者検索画面３０２のような検索結果一覧表示領域が展開される。このように、患者検索画面に各患者の過去の診療歴をあらわすカルテの厚みのイメージを表示することによって、利用者が直感的に患者の過去の診療歴を把握することが可能となる。
【００３４】
なお、上述の説明においては、画像ファイルを複数用意して、それぞれを読み出して転記することでイメージを展開するように説明したが、画像を展開する方法については様々な方法が考えられるため、上述の方法に限定するものではない。例えば、画像は１つだけ用意しておき、表示する際の高さ指定を制御することで同様な画像展開を行うことも考えられる。
【００３５】
次に、利用者は、患者検索画面３０２の検索結果一覧表示領域の中から入力対象となる患者を選択する。患者検索画面３０２の例では、画面がＨＴＭＬ形式で作成されており、患者氏名がクリッカブルに構成されているため、対象となる患者の氏名を利用者がクリックすることで患者選択が完了し、当該患者のカルテデータ１４１を検索してカルテ編集画面に展開することが可能となる。
【００３６】
このカルテ編集画面について、図８のカルテ編集画面８０１を用いて詳細に説明する。カルテ編集画面８０１は、ヘッダ部とボディ部から構成されている。ヘッダ部には、患者氏名と、編集完了時に押下するための済ボタンが備えられている。また、ボディ部は左右に二つ分割されており、左側に過去の診療歴、右側に入力領域をそれぞれ表示する領域を備える。更に、入力領域には処方ボタンと検査ボタンが備えられている。利用者は、過去の診療歴を参照しながら、今回の診療において発行するオーダの入力を行う。例えば、処方オーダを発行する際は、処方ボタンを押下することで処方オーダ入力ツールを起動し、その内容を入力する。また、検査オーダを発行する際は、検査ボタンを押下することで検査オーダ入力ツールを起動し、その内容を入力する。
【００３７】
カルテ編集画面８０１は、カルテデータ１４１の内容を読み込んで表示し、各オーダの発行履歴は過去の診療歴として当該カルテデータ１４１に書き出す。
【００３８】
このカルテデータ１４１について、図９のカルテデータ９０１を用いて詳細に説明する。カルテデータ９０１は、患者のカルテデータを格納するマスタであって、ＩＤ、日付、区分、科、ＳＥＱ、項目名称、数、とを記録する。カルテデータ９０１は、ＩＤ＝０００１の患者に対して過去に発行したオーダの履歴を格納している状態を表している。即ち、２００４年１２月９日に内科において処方オーダが発行されており、その内容は、アリナミン２錠が３日分であることを１〜２レコード目で表すものである。また、同一日に内科において検査オーダが発行されており、その内容は、ＴＰ、Ｃａであることを３〜４レコード目で表すものである。そして、カルテ編集画面８０１の過去の診療歴に展開されている情報は、これらのカルテデータ９０１の情報である。
【００３９】
例えば図８のカルテ編集画面８０２のように、利用者が２００４年１２月１９日に内科において処方オーダが発行されたものとする。そして、その内容は、アリナミン２錠が３日分であったものとする。この状態で、利用者がヘッダ部に備えられた済ボタンを押下することで、診療録作成支援サーバシステム１３０は、カルテ情報の入力完了を受け付ける（Ｓ２０５）。そして、今回新たに発行されたオーダ情報がカルテデータ９０１に記録される。図９のカルテデータ９０２は、この記録が完了した状態を表す。今回新たに追加されたレコードは１〜２レコード目である。
【００４０】
カルテデータへの書き込みが完了すると、本発明の特徴である、厚さ算出処理が実行される（Ｓ２０６）。
【００４１】
この厚さ算出処理について、図１０のフローを用いて詳細に説明する。まず、厚み算出プログラム１３３は、Ｓ２０５においてカルテデータ９０２に追加されたレコードを１レコードずつ読み込む（Ｓ１００１）。この時、全てのレコードに対して処理が完了し、未処理のレコードが存在しない場合は厚さ算出処理（Ｓ２０６）を終了する（Ｓ１００２）。次に、Ｓ１００１において読み込んだレコードのＳＥＱを判定し、１であればＳ１００４に進み、それ以外であればＳ１００１に戻って次のレコードを読み込む。ＳＥＱ＝１であった場合は、当該レコードの区分を用いて、重みマスタ１４３を検索し、合致するレコードを抽出する（Ｓ１００４）。
【００４２】
この重みマスタ１４３について、図１１の重みマスタ１１０１を用いて詳細に説明する。重みマスタ１１０１は、診療区分ごとに厚みに対する重み付けを制御することを目的とする情報を格納するマスタであって、区分、重み、とを記録する。Ｓ１００４の検索では、Ｓ１００１で読み込まれたレコードの区分を用いて、重みマスタ１１０１の区分を検索する。そして、合致したレコードを抽出する。この場合、カルテデータ９０２の１レコード目の処理を行った場合、区分が処方であるため、重みマスタ１１０１から重み１０を得る。そして、カルテデータ９０２のＩＤ、科、と、Ｓ１００４の処理で得た重み１０と、を用いて、厚さ管理ファイル６０１の情報の更新を行う（Ｓ１００５）。この時、ＩＤとかを用いて厚さ管理ファイル６０１を検索するが、処理対象患者が今回初めての診療科で診察を受信した場合は厚さ管理ファイル６０１にレコードが存在しないため、新規にレコードを作成することとなる。
【００４３】
Ｓ１００５の処理において更新された厚さ管理ファイルを図６の厚さ管理ファイル６０２に例示する。更新前の厚さ管理ファイル６０１において内科の厚さが１０であったものに対し、今回新たに１０が加算されて２０となっていることがわかる。このように、内科の厚さが２０となることによって、次回の患者検索時には内科と外科の厚さの合計が２０＋２０＝４０となり、この厚さ４０を用いて厚さ画像ファイル７０１を検索することで、厚さ範囲３１〜５０の画像が表示されるようになる。
【００４４】
Ｓ１００５で厚さ管理ファイル１４２の更新が完了すると、Ｓ１００１に戻り、カルテデータの次の追加レコードの読込みが行われる。
【００４５】
以上のように、カルテの編集が行われる都度厚さ管理ファイル１４２が更新されるように構成したため、患者検索時には、常に最新のカルテの厚みを即座に表示することが可能となる。表示の即時性を重視しないのであれば、患者検索時に患者のカルテデータを検索して、当該検索結果を表示するタイミングで上述と同様な厚みの計算を行って表示することも可能である。また、このような随時処理で行う以外に、日次や月次等のバッチ処理で、複数の患者に対する厚みの計算処理を行うことも可能である。
【００４６】
本実施の形態においては、一般的なクライアントサーバシステムの例として説明したが、小規模な医療機関においてはパーソナルコンピュータ単体でのシステムも考えられる。その場合は、診療録作成支援クライアントシステムに備えられていたブラウジングプログラム１０２を診療録作成支援サーバシステム内に備えることで、同様な仕組みを実現することが可能となる。
【００４７】
また、本実施の形態においては、検索結果画面３０２のように、患者のカルテ全体の厚みを表示するように説明したが、厚さ管理ファイル１４２は診療科ごとの厚さを保持しているため、当該診療科ごとの厚さを別々なイメージとして表示することも可能である。更に、厚さ管理ファイル１４２を診療科ごとの管理ではなく、診療区分ごとの管理とすることで、診療区分ごとの厚さを別々なイメージとして表示することも可能である。また、それぞれの診療科ごと、若しくは診療区分ごとに表示するイメージの色を使い分けることで、より見読性の高いイメージの表示を可能とすることも考えられる。
【００４８】
また、本実施の形態においては、カルテの厚さを表すイメージを検索結果画面３０２の検索結果一覧表示領域に表示するように説明したが、カルテ編集画面８０１に表示することで、診察時に患者の過去の診察履歴を直感的に利用者が知ることを可能にすることもできる。
【００４９】
また、本実施の形態において説明した各プログラムは、ＣＤ−ＲＯＭ等の記録媒体に格納することで、配布可能となり、このような記録媒体を用いてコンピュータに当該プログラムをインストールすることで、上述のような処理が可能となるものである。
【００５０】
以上の実施形態に関し、更に以下の付記を開示する。
【００５１】
（付記１）
患者の属性情報を格納した患者情報記憶手段と、
患者の診療録情報を格納した診療録情報記憶手段と、
利用者からのキーワード入力を受け付ける受付手段と、
前記患者情報記憶手段を検索し、前記キーワードに合致する患者の属性情報を抽出する抽出手段と、
前記診療録情報記憶手段に格納された患者の前記診療録情報に応じた厚みを算出する厚み算出手段と、
前記抽出手段において抽出された属性情報と、前記厚み算出手段において算出された厚みに応じたイメージと、を表示する表示手段と、
を備えることを特徴とする診療録作成支援装置。
【００５２】
（付記２）
前記厚み算出手段は、診療行為ごとに定められた所定の重み付けを付与した厚みを算出する事を特徴とする付記１記載の診療録作成支援装置。
【００５３】
（付記３）
前記厚み算出手段は、診療行為ごとに厚みを算出し、
前記表示手段は、前記診療行為ごとに定められた所定の色分けを行ったイメージを表示することを特徴とする付記１記載の診療録作成支援装置。
【００５４】
（付記４）
前記厚み算出手段は、診療科ごとに厚みを算出し、
前記表示手段は、前記診療科ごとに定められた所定の色分けを行ったイメージを表示することを特徴とする付記１記載の診療録作成支援装置。
【００５５】
（付記５）
前記厚み算出手段は、診療行為ごとに厚みを算出し、
前記表示手段は、前記診療行為ごとのイメージを表示することを特徴とする付記１記載の診療録作成支援装置。
【００５６】
（付記６）
前記厚み算出手段は、診療科ごとに厚みを算出し、
前記表示手段は、前記診療科ごとのイメージを表示することを特徴とする付記１記載の診療録作成支援装置。
【００５７】
（付記７）
コンピュータを、
患者の属性情報を格納した患者情報記憶手段と、
患者の診療録情報を格納した診療録情報記憶手段と、
利用者からのキーワード入力を受け付ける受付手段と、
前記患者情報記憶手段を検索し、前記キーワードに合致する患者の属性情報を抽出する抽出手段と、
前記診療録情報記憶手段に格納された患者の診療録情報に応じた厚みを算出する厚み算出手段と、
前記抽出手段において抽出された属性情報と、前記厚み算出手段において算出された厚みに応じたイメージと、を表示する表示手段として動作させることを特徴とする診療録作成プログラム。
【００５８】
（付記８）
コンピュータを、
患者の属性情報を格納した患者情報記憶手段と、
患者の診療録情報を格納した診療録情報記憶手段と、
利用者からのキーワード入力を受け付ける受付手段と、
前記患者情報記憶手段を検索し、前記キーワードに合致する患者の属性情報を抽出する抽出手段と、
前記診療録情報記憶手段に格納された患者の診療録情報に応じた厚みを算出する厚み算出手段と、
前記抽出手段において抽出された属性情報と、前記厚み算出手段において算出された厚みに応じたイメージと、を表示する表示手段として動作させることを特徴とする診療録作成プログラムを記録したコンピュータ読み取り可能な記録媒体。
【図面の簡単な説明】
【００５９】
【図１】実施の形態のシステム構成図である。
【図２】実施の形態の処理フローである。
【図３】患者検索画面の一例を示す図である。
【図４】患者検索処理の流れを示すフローチャートである。
【図５】患者マスタの一例を示す図である。
【図６】厚さ管理ファイルの一例を示す図である。
【図７】厚さ画像ファイルの一例を示す図である。
【図８】カルテ編集画面の一例を示す図である。
【図９】カルテデータの一例を示す図である。
【図１０】厚さ算出処理の流れを示すフローチャートである。
【図１１】重みマスタの一例を示す図である。
【符号の説明】
【００６０】
１００  クライアント端末
１０１  診療録作成支援クライアントシステム
１０２  ブラウジングプログラム
１０３  ＯＳ
１０４  表示制御部
１０５  入力制御部
１０６  通信制御部
１１０  ネットワーク
１２０  サーバ装置
１２１  ＯＳ
１２２  表示制御部
１２３  入力制御部
１２４  通信制御部
１３０  診療録作成支援サーバシステム
１３１  受付プログラム
１３２  抽出プログラム
１３３  厚み算出プログラム
１３４  表示プログラム
１４０  患者マスタ
１４１  カルテデータ
１４２  厚さ管理ファイル
１４３  重みマスタ
１４４  厚さ画像マスタ
【図１】
2006178903.tif 000003
【図２】
2006178903.tif 000004
【図３】
2006178903.tif 000005
【図４】
2006178903.tif 000006
【図５】
2006178903.tif 000007
【図６】
2006178903.tif 000008
【図７】
2006178903.tif 000009
【図８】
2006178903.tif 000010
【図９】
2006178903.tif 000011
【図１０】
2006178903.tif 000012
【図１１】
2006178903.tif 000013